(57)【特許請求の範囲】
【請求項１】
前胴周り域と後胴周り域と股下域とによってパンツ形状が画成され、胴周り開口と一対の脚周り開口とを備え、前記胴周り開口および脚周り開口いずれかの周縁部外面にその周縁部の周り方向へ延びるバンドの一端部が固定され、前記バンドの前記一端部の反対端部である自由端部が前記外面の所要部位に着脱可能に形成されている使い捨てのパンツ型おむつにおいて、
前記周縁部には、前記バンドの一端部が固定されている部位から前記バンドの延びる方向の所要範囲に高剛性域と低剛性域とが前記方向において交互に形成されていることを特徴とする前記おむつ。
【請求項２】
前記高剛性域は、前記おむつの内面を形成するシートと外面を形成するシートとこれら両シートを接合する接着剤とを含み、前記接着剤が前記両シートに対して前記周縁部の周り方向において短く、前記周り方向に直交する方向において長く、ストライプ状に塗布されている請求項１に記載のおむつ。
【請求項３】
前記おむつの内面を形成するシートと外面を形成するシートとのうちの少なくとも一方が熱可塑性合成樹脂を含み、前記高剛性域が前記樹脂を溶融して前記両シートを接合することにより形成されている請求項１記載のおむつ。
【請求項４】
前記おむつの胴周り開口周縁部および脚周り開口周縁部の周り方向において前記高剛性域が形成されている範囲は、前記ベルトの一端部と自由端部との間にある請求項１〜３のいずれかに記載のおむつ。
【請求項５】
前記胴周り開口周縁部では、前記前胴周り域の周り方向中央部と前記後胴周り域の全体とに弾性部材が取り付けられ、前記前胴周り域の周り方向における前記中央部の両端から前記後胴周り域へ至る間には弾性部材が取り付けられていない請求項１〜４のいずれかに記載のおむつ。
【請求項６】
前記高剛性域は、前記前胴周り域の周り方向における前記中央部の両端から前記後胴周り域へ至る間に形成されている請求項５記載のおむつ。
【発明の詳細な説明】
【０００１】
【発明の属する技術分野】
この発明は、使い捨てのパンツ型おむつに関する。
【０００２】
【従来の技術】
実開平５−３９５３１号公報に開示の使い捨てのパンツ型おむつは、胴周り開口の周縁部や脚周り開口の周縁部の外面に、それぞれの周縁部の周り方向へ伸展可能に形成された止着テープを有する。この止着テープの一端部は周縁部の外面に固定され、その一端部の反対端部である自由端部の内面には粘着剤が塗布されている。このおむつを着用したときに、胴周り開口や脚周り開口の周縁部でおむつにだぶつきがあれば、止着テープによってそれら周縁部の長さが短くなるように調整してそのだぶつきを少なくする。
【０００３】
【発明が解決しようとする課題】
前記公知のおむつでは、だぶついている部分を胴周り方向や脚周り方向へたぐり寄せて止着テープの内側に小さくまとめ、その後に止着テープの自由端部を周縁部の周り方向へ引張ってその周縁部の外面に止めると、おむつはだぶつくということがない。しかしながら、だぶついている部分を止着テープの内側にまとめるときに、おむつの内面や外面を形成しているシートが幾重にも不規則に重なり合って嵩張り、おむつを着用しているときの邪魔になったり、おむつの外観を見苦しいものにしたりするということがある。また、たぐり寄せることによっておむつには多数のひだを生じることがあり、そうしたひだがおむつの内外に通じていると、そのひだを介しておむつ内側の体液が漏れることにもなる。
【０００４】
この発明は、前記公知のおむつの改良に係り、おむつの胴周り方向や脚周り方向へ延びる止着テープを使用しておむつのだぶつきを少なくするときに、おむつの内面や外面を形成しているシートが不規則に重なり合って嵩張り、おむつ着用時の邪魔となることがないように、またおむつの外観に悪い影響を与えることがないように、さらにはまた体液漏れの原因となることがないようにすることを課題にしている。
【０００５】
【課題を解決するための手段】
前記課題を解決するために、この発明が対象とするのは、前胴周り域と後胴周り域と股下域とによってパンツ形状が画成され、胴周り開口と一対の脚周り開口とを備え、前記胴周り開口および脚周り開口いずれかの周縁部外面にその周縁部の周り方向へ延びるベルトの一端部が固定され、前記ベルトの前記一端部の反対端部である自由端部が前記外面の所要部位に着脱可能に形成されている使い捨てのパンツ型おむつである。
【０００６】
かようなおむつにおいて、前記周縁部には、前記バンドの一端部が固定されている部位から前記バンドの延びる方向の所要範囲に高剛性域と低剛性域とが前記方向において交互に形成されていること、がこの発明の特徴である。
【０００７】
かかるこの発明の好ましい実施態様の一つにおいて、前記高剛性域は、前記おむつの内面を形成するシートと外面を形成するシートとこれら両シートを接合する接着剤とを含み、前記接着剤が前記両シートに対して前記周縁部の周り方向において短く、前記周り方向に直交する方向において長く、ストライプ状に塗布されている。
【０００８】
実施態様の他の一つにおいて、前記おむつの内面を形成するシートと外面を形成するシートとのうちの少なくとも一方が熱可塑性合成樹脂を含み、前記高剛性域が前記樹脂を溶融して前記両シートを接合することにより形成されている。
【０００９】
実施態様の他の一つにおいて、前記おむつの胴周り開口周縁部および脚周り開口周縁部の周り方向において前記高剛性域が形成されている範囲は、前記ベルトの一端部と自由端部との間にある。
【００１０】
実施態様の他の一つにおいて、前記胴周り開口周縁部では、前記前胴周り域の周り方向中央部と前記後胴周り域の全体とに弾性部材が取り付けられ、前記前胴周り域の周り方向における前記中央部の両端から前記後胴周り域へ至る間には弾性部材が取り付けられていない。
【００１１】
実施態様のさらに他の一つにおいて、前記高剛性域は、前記前胴周り域の周り方向における前記中央部の両端から前記後胴周り域へ至る間に形成されている。
【００１２】
【発明の実施の形態】
添付の図面を参照して、この発明に係る使い捨てのパンツ型おむつの詳細を説明すると、以下のとおりである。
【００１３】
図１に部分破断斜視図で示された使い捨てのパンツ型おむつ１は、前胴周り域２と、後胴周り域３と、股下域４とを有する。これら前後胴周り域２，３は、おむつ１の両側部５で合掌状に重なり合い、上下方向へ間欠的に形成された部位６で互いに接合してパンツ型の形状を画成している。おむつ１の内側は透液性表面シート１２によって形成され、外側は不透液性裏面シート１３によって形成されており、これら両シート１２，１３間に体液吸収性のコア１４が配置されている。おむつ１はまた、胴周り開口１６と一対の脚周り開口１７とを有し、これら開口１６，１７の周縁部１６ａ，１７ａは、コア１４の周縁から延出して重なり合い、互いに接合する表面シート１２と裏面シート１３とによって形成されている。これらの周縁部１６ａ，１７ａそれぞれでは、表面シート１２と裏面シート１３との間に、それらシート１２，１３の少なくとも一方の内面に接合する胴周り弾性部材１８または脚周り弾性部材１９がそれぞれの周縁部１６ａ，１７ａの周り方向へ伸長状態で延びている。ただし、図示例の胴周り弾性部材１８は、前胴周り域２の周り方向中央部と後胴周り域３の周り方向の全体とに位置し、脚周り弾性部材１９は、脚周りの全体に位置している。おむつ１の両側部５では、胴周り開口１６の周縁部１６ａと脚周り開口１７の周縁部１７ａとに、上方バンド２１と下方バンド２２とが取り付けられ、これら両バンド２１，２２は、概ねそれらの周縁部１６ａ，１７ａの周り方向へ延びている。
【００１４】
図２は、図１のＩＩ−ＩＩ線切断面を示す図面である。図１，２において、おむつ１の側部５に設けられた上方バンド２１は、後胴周り域３に位置する後端部２３が接着剤２５を介して裏面シート１３の外面に外れることがないように固定されている。後端部２３から前胴周り域２へ向かって周縁部１６ａの周り方向へ延びる自由変形部分２４は、前後胴周り域２，３が合掌状に重なり合う部位を越え、前端部２６が、その内面に形成された止着部位２７を介して前胴周り域２における裏面シート１３の外面に仮想線で示されるように取り外し可能に止められている。胴周り開口１６の周縁部１６ａは、表面シート１２と裏面シート１３とによって形成され、これら両シート１２，１３はそれぞれの可撓性を損なうことがないように接着または溶着によって互いに接合しているが、周縁部１６ａには、そのような接合に加え、周り方向へ１〜５０ｍｍ、より好ましくは１〜５ｍｍの幅を有し、おむつ１の上下方向へ５〜１００ｍｍ、より好ましくは５〜５０ｍｍの長さを有し、表裏面シート１２，１３が互いに溶着するとともにフィルム化し、表裏面シート１２，１３よりも剛性の高い帯状域２８が形成されている(図３を併せて参照)。かかる剛性の高い帯状域２８は、表裏面シート１２，１３いずれかの内面にホットメルト接着剤を塗布してこれら両シート１２，１３を一体化することによって形成されることもある。
【００１５】
帯状域２８は、周縁部１６ａの周り方向へ間欠的に複数形成される。隣り合う帯状域２８と２８とは、それらの中間域２９の幅が３〜５０ｍｍとなるように互いに離間している。好ましい帯状域２８のＪＩＳ  Ｌ  １０９６に準拠したガーレー剛性値は０．５〜２０ｍＮ／２５ｍｍ、より好ましい帯状域２８のガーレー剛性値は１〜１０ｍＮ／２５ｍｍの範囲にあって中間域２９の剛性の少なくとも３倍であり、かかる帯状域２８は可撓性の中間域２９のように容易に変形するということがない。
【００１６】
図３は、おむつ１の要部斜視図である。胴周り開口１６の周縁部１６ａにおいて、好ましい帯状域２８は開口１６の縁にまで届くことがないように形成される。高剛性の帯状域２８が開口１６の縁に届くような態様でこの発明を実施することは可能であるが、そのような態様の帯状域２８には、開口１６の縁でおむつ１着用者の肌を強く刺激するという可能性がある。図示の上方バンド２１は、図１の状態とは異なり、前端部２６が周縁部１６ａから剥がされた状態にある。上方バンド２１の止着部位２７は、周縁部１６ａに対して着脱可能な止着手段、例えば粘着剤やメカニカルファスナの雄部材を前端部２６の内面に設けることによって形成されている。粘着剤からなる止着手段は、裏面シート３がプラスチックフィルムや毛羽立ちの少ない不織布である場合に使用することができ、メカニカルファスナの雄部材からなる止着手段は、裏面シート３が毛羽立ちの多い不織布からなる場合や裏面シート３にメカニカルファスナの雌部材が取り付けられている場合に使用することができる。止着部位２７はまた、上方バンド２１に形成されて胴周り方向へ一列に並ぶ複数のボタン穴であってもよい。かかる止着部位２７に対しては前胴周り域２の周縁部１６ａにボタンを取り付けておく。
【００１７】
図４は、上方バンド２１の使用状態を示す図３と同様の図面である。着用したおむつ１の前後胴周り域２，３が胴周り方向においてだぶついているときには、おむつ１の側部５において周縁部１６ａをそれがおむつ１の内外方向において重なり合うように折り重ねることによって周縁部１６ａの周長を短くしてだぶつきを少なくする。上方バンド２１は、周縁部１６ａの周り方向へ緊張させながら引張り、止着部位２７を周縁部１６ａの外面に止めることによって、周縁部１６ａがおむつ１の内外方向において規則的に折り重なった状態を維持し、より好ましくは周縁部１６ａが互いに密着して折り重なった状態を維持する。おむつ１をこのように始末すると、おむつ１のだぶついていた分は着用感に悪影響を与えるような大きな塊になって嵩張るということもなく、またおむつ１の外観を悪くすることもない。さらにはまた、周縁部１６ａを折り重ねることによって胴周りにひだが徒に増えるということもなく、しかも周縁部１６ａが密に重なることによっておむつ１内側の体液が外へ漏れるという機会が増えることもない。
【００１８】
周縁部１６ａを胴周り方向へ折り重ねるときには、複数本ある高剛性の帯状域２８のいずれかを選び、その帯状域２８に沿って低剛性の中間域２９を折曲すれば、折り重なる周縁部１６ａは図のように整った状態になる。これら帯状域２８と中間域２９とのうちで、帯状域２８が周縁部１６ａの周り方向に形成される範囲は、少なくとも、図２のように胴周り方向へ延びた状態にある上方バンド２１の後端部２３から前端部２６までの範囲に対向する範囲であり、もし必要ならば、前端部２６を越えて胴周り方向中央部ヘ延びる範囲に形成されていてもよい。
【００１９】
このように使用される上方バンド２１は、周縁部１６ａの周り方向において非伸長性のもの、または弾性的に伸長性のものである。弾性的に伸長性の上方バンド２１は、膨らもうとする腹部の動きに追随することができるので、腹部を圧迫しないという利点を有する。図１、３で明らかなように、おむつ１の前胴周り域２では、胴周り弾性部材１８が周り方向の中央部にのみ取り付けられ、この中央部にのみギャザーが形成されている。胴周り方向におけるこの中央部の両端から後胴周り域３へ至る間の胴周り側部５にはギャザーが形成されておらず、そのような側部５における周縁部１６ａの表面は滑らかである。かかる状態の周縁部１６ａは、使用前のおむつ１であれば上方バンド２１の止着部位２７を容易に仮止めすることができ、また、着用したおむつ１がだぶついているのであればそのだぶついている分を胴周り弾性部材１８に邪魔されることなく容易に図４のように折り重ねることができる。ただし、この発明は、胴周り弾性部材１８が前胴周り域２の全体にわたって延びている態様で実施することも可能であり、また、胴周り弾性部材１８が前胴周り域２に全く存在しない態様で実施することも可能である。上方バンド２１は、図示例のようにおむつ１の両側部５に設ける他に、一方の側部５にのみ設けることも可能である。
【００２０】
この発明に係るおむつ１では、胴周り開口１６の周縁部１６ａに上方バンド２１を設けることに加えて、または上方バンド２１を設けることに代えて、図１に示されるように脚周り開口１７の周縁部１７ａに下方バンド２２を設けることができる。下方バンド２２を有する周縁部１７ａは、周縁部１６ａの場合と同様に高剛性の帯状域２８と低剛性の中間域２９とが周縁部１７ａの周り方向に間欠的に形成される。図１の下方バンド２２は、実質的な意味において周縁部１７ａの周り方向ヘ延びていれば十分にその機能を果たすことができる。
【００２１】
この発明において、高剛性の帯状域２８は、胴周り開口１６や脚周り開口１７の周縁部１６ａ，１７ａに表面シート１２や裏面シート１３とは別体の材料、例えば不織布やプラスチックフィルム、発泡弾性シートなどを接合することによって形成することもできる。こうした材料は、溶着によって１〜１０ｍｍの幅に形成された図示例の帯状域２８に代えて１０〜５０ｍｍ程度の広い幅の帯状域２８を得るときに役立つ。また、この発明において、表面シート１２には熱可塑性合成繊維からなる不織布や開孔プラスチックフィルムを使用することが好ましく、裏面シート１３にはプラスチックフィルムやプラスチックフィルムの外面に不織布を積層した複合シートを使用することが好ましい。これらの表裏面シート１２，１３であれば、シートどうしを溶着して帯状域２８を得ることができる。胴周り開口１６や脚周り開口１７の周縁部１６ａや１７ａは、図示例のように表裏面シート１２，１３で形成することに代え、これらシート１２，１３とは別体のシート素材で形成することもできる。
【００２２】
【発明の効果】
この発明に係る使い捨てのパンツ型おむつは、胴周り開口の周縁部および／または脚周り開口の周縁部に周縁部の周り方向ヘ延びるバンドと、その周り方向において交互に並ぶ高剛性域および低剛性域とを有するから、着用したおむつが胴周りや脚周りでだぶついたときに、そのだぶついた分をおむつの着用感や外観を悪くしたりすることがないように規則的に折り重ねることができる。そのように折り重ねた部分は互いに密着することが可能で、折り重ねることによって生じるひだを介しておむつ内側の体液が漏れるということがない。
【図面の簡単な説明】
【図１】使い捨てのパンツ型おむつの部分破断斜視図。
【図２】図１のＩＩ−ＩＩ線切断面を示す図。
【図３】おむつの要部斜視図。
【図４】上方バンドが使用状態にあるときの図３と同様な図面。
【符号の説明】
１      使い捨てのパンツ型おむつ
２      前胴周り域
３      後胴周り域
４      股下域
１６      胴周り開口
１６ａ      周縁部
１７      胴周り開口
１７ａ      周縁部
１２      シート
１３      シート
２１      バンド
２２      バンド
２３      端部
２８      高剛性域（帯状域）
２９      低剛性域（中間域）
【図１】
0003706549.tif 000002
【図２】
0003706549.tif 000003
【図３】
0003706549.tif 000004
【図４】
0003706549.tif 000005